(57)【特許請求の範囲】
【請求項１】
スイッチケースに組みつけられたスイッチボデーにロックスプリングを取り付け、上面にハート型カムと、該ハート型カムの周囲に前記ロックスプリングに形成したロックピンが弾接する一方向循環路とを設けたスライダと、該スライダと嵌め合い構造により一体状にした操作ノブとを、前記スイッチボデーに摺動自在に組み込むとともに、該操作ノブを押圧して前記ハート型カムとロックスプリングとを相対移動させ、前記一方向循環路を移動するロックピンを前記ハート型カムの係合凹部に係合して前記操作ノブを保持するとともに、該操作ノブを再度押圧することにより、前記ロックピンを係合凹部から一方向循環路に戻して、前記操作ノブを原位置に復帰させてスイッチをオン・オフするロック式スイッチ装置において、
前記スライダの上面に、前記一方向循環路の側部に最深部の深さを該一方向循環路よりも深くし、縁部から最深部に向かって前記操作ノブの摺動方向と平行な傾斜面を設けた嵌入凹部と、該嵌入凹部の前記縁部の近傍に案内壁面とを形成し、該嵌入凹部の最深部に前記ロックピンを嵌入させて前記ロックスプリングを取り付けるとともに、取り付け後の前記操作ノブの押圧操作により、前記嵌入凹部の傾斜面を上り該嵌入凹部から脱出する前記ロックピンを、前記案内壁面により前記一方向循環路に案内するようにしたことを特徴とするロック式スイッチ装置。
【発明の詳細な説明】
【０００１】
【発明の属する技術分野】
本発明は、押圧されて保持された操作ノブを、再度押圧することにより原位置に後退させるようにしたロック式スイッチ装置に関するものである。
【０００２】
【従来の技術】
操作ノブを押圧すると、一方向循環路に弾接して移動するロックピンがハート型カムの係合凹部に係合されて保持され、該操作ノブを再度押圧することにより、ロックピンを係合凹部から一方向循環路に戻して操作ノブを原位置に復帰させるようにしたロック式スイッチ装置は、ロックスプリングにロックピンが形成されているものがある。そして、組み付けた時ロックスプリングが押圧されてロックピンが撓むことにより、一方向循環路の路面に弾接するようにして、上記ロック機能を成立させている。図４に示すように、取り付け部品ａに取り付けた状態のロックスプリングｂは、組み付ける相手部品ｃにより押圧されてロックピンｄが撓むように、相手部品ｃとの組み付け面ｅよりも上方に浮き上がる不安定な状態で取り付けられている。
【０００３】
【発明が解決しようとする課題】
相手部品ｃとの組み付け面ｅに対するロックスプリングｂの突出度が大きいと、該ロックスプリングｂを押さえ込みながら慎重に相手部品ｃへ組み付ける必要があり、組み付け作業の効率が悪くコスト高の要因となっている。本発明は上記に鑑みてなされたもので、ロックスプリングのコイル部の突出度を小さくして組み付け作業性を高めたロック式スイッチ装置を提供することを目的とするものである。
【０００４】
【課題を解決するための手段】
上記目的を達成するための本発明のロック式スイッチ装置は、スイッチケースに組みつけられたスイッチボデーにロックスプリングを取り付け、上面にハート型カムと、該ハート型カムの周囲に前記ロックスプリングに形成したロックピンが弾接する一方向循環路とを設けたスライダと、該スライダと嵌め合い構造により一体状にした操作ノブとを、前記スイッチボデーに摺動自在に組み込むとともに、該操作ノブを押圧して前記ハート型カムとロックスプリングとを相対移動させ、前記一方向循環路を移動するロックピンを前記ハート型カムの係合凹部に係合して前記操作ノブを保持するとともに、該操作ノブを再度押圧することにより、前記ロックピンを係合凹部から一方向循環路に戻して、前記操作ノブを原位置に復帰させてスイッチをオン・オフするロック式スイッチ装置において、前記スライダの上面に、前記一方向循環路の側部に最深部の深さを該一方向循環路よりも深くし、縁部から最深部に向かって前記操作ノブの摺動方向と平行な傾斜面を設けた嵌入凹部と、該嵌入凹部の前記縁部の近傍に案内壁面とを形成し、該嵌入凹部の最深部に前記ロックピンを嵌入させて前記ロックスプリングを取り付けるとともに、取り付け後の前記操作ノブの押圧操作により、前記嵌入凹部の傾斜面を上り該嵌入凹部から脱出する前記ロックピンを、前記案内壁面により前記一方向循環路に案内するようにしたことを特徴とする。
【０００５】
【発明の作用及び効果】
上記ロック式スイッチ装置によれば、嵌め合い構造により一体状にしたスライダと操作ノブを摺動自在に組み込んだスイッチボデーの、スイッチケースへの組付け前には、スイッチボデーに取付けられたロックスプリングのロックピンが、スライダの上面に設けた一方向循環路の側部に形成した嵌入凹部の最深部に嵌入している。そして、嵌入凹部は、縁部から一方向循環路よりも深い最深部に向かって操作ノブの摺動方向と平行な傾斜面が設けられているから、スイッチボデーをスイッチケースに組み付けた後操作ノブを押圧すると、ハート型カムとロックスプリングとが相対移動し、ロックピンは該傾斜面を上り嵌入凹部から脱出する。そして、該嵌入凹部の縁部の近傍に形成された案内壁面に案内されて、一方向循環路に進入する。嵌入凹部の最深部は、一方向循環路よりも深く形成されているから、ロックスプリングの取り付け位置が下がって、相手部品との組み付け面に対するロックスプリングの突出度を小さくすることができる。従って、相手部品を組み付ける際に、ロックスプリングを押さえ込む必要がなく、組み付け作業の効率を高めることができる。さらに、嵌入凹部の最深部に嵌入されて取り付けられたロックピンは、スイッチボデーをスイッチケースに組み付けた後の操作ノブの押圧操作により、嵌入凹部の傾斜面を上り該嵌入凹部から脱出するとともに案内壁面に案内されて、自動的に一方向循環路に進入するから、ロックピンを人為的に一方向循環路に戻す必要が無く、ロック式スイッチ装置の組み付け作業の効率をより高めることができる。
【０００６】
【発明の実施の形態】
本発明のロック式スイッチ装置（以下単にスイッチ装置という）１の実施形態を添付図面を参照して説明する。図１はスイッチ装置１の要部の切断平面図、図２は図１に於けるＡ−Ａ線断面図、図３はハート型カム６の平面図である。スイッチボデー２には、操作ノブ３が摺動自在に組み込まれている。該操作ノブ３には、スライダ４が嵌め合い構造により連結され一体状に摺動するようになっている。スライダ４の上面５には、ハート型カム６が形成されている。また、スイッチボデー２には、ロックスプリング８の取り付け軸部７が形成されている。
【０００７】
ロックスプリング８のコイル部９の各コイル端は接線方向へ延長され、下方のコイル端から長く延長されたロックピン部１０と上方のコイル端から短く延長された掛止ピン部１１が形成されている。ロックピン部１０には、先端を下方へ略直角に屈曲したロックピン１０ａが形成されている。また、掛止ピン部１１の先端を略直角に下方へ屈曲して屈曲部１１ａが形成されている。
【０００８】
上記ハート型カム６の外周には、所定箇所にロックピン１０ａが逆回りしないように阻止段差を設けた、一方向循環路１２が形成されている。一方向循環路１２は、時計回り方向にハート型カム６の係合凹部６ａへ向かう往路１３と、該係合凹部６ａから時計回り方向で戻る帰路１４とから構成されている。また、スライダ４の上面５には、往路１３の側部にロックピン１０ａの嵌入凹部１５が形成されている。該嵌入凹部１５の最深部１５ｂは、図２に示すように上記一方向循環路１２より深く形成されるとともに、縁部１５ａから略中央の最深部１５ｂに向かう傾斜面１６が、図２及び図３に示すように、操作ノブ３の摺動方向と平行に形成されている。さらに、スライダ４の上面５には、該傾斜面１６を上って嵌入凹部１５から脱出したロックピン１０ａを往路１３へ案内する案内壁面１７が、図２及び図３に示すように、縁部１５ａの近傍に形成されている。
【０００９】
上記ロックピスプリング８は図２に示すように、スイッチボデー２の取り付け軸部７にコイル部９を嵌めて取り付けられている。コイル部９の上方から延長する掛止ピン部１１は、下方へ屈曲した屈曲部１１ａの先端をスイッチボデー２の掛止壁部２ａに当接している。そして、コイル部９の捩り弾力により拡開するロックピン部１０の先端のロックピン１０ａが、上記一方向循環路１２より深く形成された嵌入凹部１５の最深部１５ｂに嵌入している。ロックピン１０ａが嵌入凹部１５の最深部１５ｂに嵌入していることにより、ロックスプリング８のコイル部９が取り付け軸部７の下端まで嵌まり安定した状態で取り付けられるとともに、取り付け位置が下がって低くなる。このため、スイッチボデー２の上面からは、コイル部９の上端の掛止ピン部１１が突出するのみである。
【００１０】
嵌め合い構造により一体状にした操作ノブ３及びスライダ４を装着するとともに、上記したようにロックスプリング８を取り付けたスイッチボデー２は、スイッチケース１８に装入して組付けられる。スイッチケース１８の装入口１９には、装入方向へ後退する案内斜面２０が形成されている。スイッチケース１８にスイッチボデー２を装入するに従い、該スイッチボデー２の上面に突出している掛止ピン部１１の屈曲部１１ａが、案内斜面２０に当接して押し下げられ、ロックスプリング８のコイル部９がスイッチボデー２内に押し込まれる。嵌入凹部１５の最深部１５ｂに嵌入したロックピン１０ａは、スイッチボデー２をスイッチケース１８に組み付けた後、操作ノブ３を押し込むことにより、傾斜面１６を上って嵌入凹部１５から脱出し、案内壁面１７に案内されて一方向循環路１２の往路１３に進入する。
【００１１】
上記したように、先端を略直角に屈曲したロックピン１０ａを、嵌入凹部１５に嵌入させることにより、スイッチケース１８との組み付け面に対するロックスプリング８のコイル部９の突出度を小さくすることができ、さらにスイッチケース１８の装入口１９に案内斜面２０が形成されているから、ロックスプリング８を押さえ込む必要がなくそのまま装入して組み付けることができ、組み付け作業の効率を高めることができる。さらに、嵌入凹部１５の最深部１５ｂに嵌入されて取り付けられたロックピン１０ａは、取り付け後の操作ノブ３の押圧操作により、嵌入凹部１５の傾斜面１６を上り、該嵌入凹部１５から脱出するとともに案内壁面１７に案内されて、自動的に一方向循環路１２に進入するから、ロックピン１０ａを人為的に一方向循環路１２に戻す必要が無く、ロック式スイッチ装置の組み付け作業の効率をより高めることができる。
【００１２】
上記スイッチ装置１の作動は以下の通りである。操作ノブ３を原位置から押圧すると、ロックピン１０ａが一方向循環路１２の往路１３を進む。押圧位置で押圧が解除されると、スライダ４に掛けたリターンバネ２１の付勢力により操作ノブ３が原位置に復帰しようとするが、ロックピン１０ａが係合凹部６ａに係合するため、操作ノブ３が押圧された状態で保持される。このときスイッチ装置１に設けたスイッチ（図示しない）がオンされる。この状態から再度操作ノブ３を押圧すると、係合凹部６ａから外れたロックピン１０ａが、一方向循環路１２の帰路１４に進入するため、操作ノブ３が原位置に復帰して、上記スイッチがオフする。
【図面の簡単な説明】
【図１】スイッチ装置１の要部の切断平面図である。
【図２】図１に於けるＡ−Ａ線断面図である。
【図３】ハート型カム６の平面図である。
【図４】従来例を示した断面図である。
【符号の説明】
１...スイッチ装置
２...スイッチボデー
３...操作ノブ
４...スライダ
６...ハート型カム
６ａ...係合凹部
８...ロックスプリング
１０...ロックピン部
１０ａ...ロックピン
１２...一方向循環路
１３...往路
１４...帰路
１５...嵌入凹部
１５ａ...縁部
１５ｂ...最深部
１６...傾斜面
１７... 案内壁面
１８...スイッチケース
【図１】
0004137216.tif 000002
【図２】
0004137216.tif 000003
【図３】
0004137216.tif 000004
【図４】
0004137216.tif 000005